(57)【特許請求の範囲】
【請求項１】
第１の携帯端末の画面、および、前記第１の携帯端末より低解像度の画面を有する第２の携帯端末の画面のうち、いずれか一方の画面を撮像する撮像素子と、
前記撮像素子を内部に収納した筐体と、
前記筐体の上面に設けられた前記撮像素子の撮像窓と、
前記撮像窓を挟む両側の前記筐体の上面から同じ高さで突出した一対の凸部を有し、当該一対の凸部の上面に前記第１の携帯端末を当てて、当該第１の携帯端末の前記撮像窓に対する位置決めを行う第１位置決め部と、
前記第１位置決め部の前記凸部の上面よりも前記撮像窓寄りの高さで設けられ、前記第２の携帯端末を当てて、当該第２の携帯端末の前記撮像窓に対する位置決めを行う一対の第２位置決め部と、
を備えた、読取装置。
【請求項２】
前記第１位置決め部が有する前記一対の凸部の上面はそれぞれ平坦になっている、請求項１に記載の読取装置。
【請求項３】
前記第１位置決め部が有する前記一対の凸部において、各凸部の前記撮像窓側の側面はそれぞれ前記凸部の上面側から前記撮像窓側にかけて下る傾斜面となっており、
前記第２位置決め部は、前記撮像窓越しに相対する前記傾斜面の一部により構成される、請求項１または２に記載の読取装置。
【請求項４】
前記第１位置決め部の前記凸部の上面には緩衝部材が設けられている、請求項１ないし３のいずれか１つに記載の読取装置。
【請求項５】
商品を撮像する第１撮像素子と、
筐体の側面に設けられた前記第１撮像素子の撮像窓である第１撮像窓と、
第１の携帯端末の画面、および、前記第１の携帯端末より低解像度の画面を有する第２の携帯端末の画面のうち、いずれか一方の画面を撮像する第２撮像素子と、
前記筐体の上面に設けられた、前記第２撮像素子の撮像窓である第２撮像窓と、
前記第２撮像窓を挟む両側の前記筐体の上面から同じ高さで突出した一対の凸部を有し、当該一対の凸部の上面に前記第１の携帯端末を当てて、当該第１の携帯端末の前記第２撮像窓に対する位置決めを行う第１位置決め部と、
前記第１位置決め部の前記凸部の上面よりも前記第２撮像窓寄りの高さで設けられ、前記第２の携帯端末を当てて、当該第２の携帯端末の前記第２撮像窓に対する位置決めを行う一対の第２位置決め部と、
を備えた、読取装置。
【発明の詳細な説明】
【技術分野】
【０００１】
本発明の実施形態は、読取装置に関する。
【背景技術】
【０００２】
従来、スーパーマーケットやコンビニエンスストア等の店舗では、電子メールやＷｅｂページ等で客にクーポン等を配信するサービスを提供することが行われている。配信される情報としては、サービス内容やその識別情報をコード化したコードシンボル（バーコードや２次元コード等）が配信される場合もある。客は、会計時に、コードシンボルを携帯電話やスマートフォン等の携帯端末に表示させて、スキャナで読み取らせる。スキャナがコードシンボルを読み取ると、ＰＯＳ（Point  Of  Sales）システムはコードシンボルに含まれるサービス内容を適用して会計処理を行う。
【０００３】
ところで、携帯電話とスマートフォンとでは画面の解像度（画素数）が異なり、一般的に解像度の低い携帯電話は、スマートフォンよりも撮像窓に近づけてかざすことが望ましい。
【発明の概要】
【発明が解決しようとする課題】
【０００４】
本発明が解決しようとする課題は、解像度の異なる携帯端末であっても、表示画面を読み取り易くすることができる読取装置を提供することである。
【課題を解決するための手段】
【０００５】
実施形態の読取装置は、撮像素子と、前記撮像素子を内部に収納した筐体と、前記筐体の上面に設けられた前記撮像素子の撮像窓と、第１位置決め部と、一対の第２位置決め部とを備える。前記撮像素子は、第１の携帯端末の画面、および、前記第１の携帯端末より低解像度の画面を有する第２の携帯端末の画面のうち、いずれか一方の画面を撮像する。前記第１位置決め部は、前記撮像窓を挟む両側の前記筐体の上面から同じ高さで突出した一対の凸部を有し、当該一対の凸部の上面に前記第１の携帯端末を当てて、当該第１の携帯端末の前記撮像窓に対する位置決めを行う。前記一対の第２位置決め部は、前記第１位置決め部の前記凸部の上面よりも前記撮像窓寄りの高さで設けられ、前記第２の携帯端末を当てて、当該第２の携帯端末の前記撮像窓に対する位置決めを行う。
【図面の簡単な説明】
【０００６】
【図１】図１は、実施形態に係るＰＯＳシステムの全体構成を示す斜視図である。
【図２】図２は、客の立ち位置側から見た縦型スキャナの斜視図である。
【図３】図３は、位置決め部の構造例を示す斜視図である。
【図４】図４は、第１の携帯端末を第１位置決め部に当てて位置決めする際の状態を概略的に示した模式図である。
【図５】図５は、第２の携帯端末を第２位置決め部に当てて位置決めする際の状態を概略的に示した模式図である。
【図６】図６は、位置決め部の概略断面図である。
【発明を実施するための形態】
【０００７】
以下、本実施形態について図面を参照して説明する。
【０００８】
図１は、実施形態にかかるＰＯＳシステム１の全体構成を示す斜視図である。図１に示すように、店舗システムであるＰＯＳ（Point  Of  Sales）システム１は、縦型スキャナ１０と、ＰＯＳ端末２０とを主に備える。ＰＯＳ端末２０は、縦型スキャナ１０で撮像した画像に応じて売上登録処理を実行する商品販売データ処理装置である。縦型スキャナ１０は、買物カゴ等が載置されるサッカー台２上において、オペレータと顧客とが略対面する場所（略中央部）に立設される。ＰＯＳ端末２０は、サッカー台２の一方の端部付近に設けられる。縦型スキャナ１０とＰＯＳ端末２０とは、図示しない伝送路によって相互通信可能に接続される。
【０００９】
ＰＯＳ端末２０は、買物客が購入した商品の各種データに基づく会計処理を含む売上登録処理等を実行する。ＰＯＳ端末２０は、硬貨及び紙幣を出し入れ自在に収納するドロワ２４の上に設置されている。ＰＯＳ端末２０は、２つの表示器２１と、入力装置２２と、レシートプリンタ２３とを備えている。入力装置２２は、キーボードや鍵キーをそなえている。表示器２１としては、入力装置２２と同じ側に設けられたオペレータ用の表示器２１ａと、保持軸の回転により画面の向きを変えられる客用の表示器２１ｂとが設けられている。表示器２１及び入力装置２２は、ユーザによる情報入力機能とユーザに対する情報出力機能とを有するユーザインタフェースを構成する。
【００１０】
縦型スキャナ１０は、図１に示すように、本体部１１（筐体）と、操作部１２とを備えている。本体部１１は、高さ方向に長い略直方体状に形成されており、サッカー台２上に立てて取り付けられる。本体部１１の高さは、例えば、サッカー台２上においてオペレータの目の高さ程度とすることが好ましい。
【００１１】
本体部１１の上端には、ヒンジ１７（図２参照）によって操作部１２が取り付けられている。操作部１２は、ヒンジ１７の開き具合により本体部１１に対する回転角度を変えられるよう設けられている。
【００１２】
操作部１２には、第１表示部１３の表示画面とキーボード１４の操作面とが並べて設けられている。第１表示部１３は、オペレータ用の表示装置であり、ＬＣＤ（Liquid  Crystal  Display）等の表示デバイスで構成されるタッチパネル付きの表示装置である。キーボード１４は、商品カテゴリから商品を登録するための各種キー（カテゴリキー、商品キー）や、商品コードを直接打ち込む際や数量を入力する際などに用いる値数キーを備えている。なお、図１では、操作部１２に第１表示部１３とキーボード１４とを一体的に設けた例を示しているが、第１表示部１３とキーボード１４とは別体として設けてもよい。
【００１３】
ここで、第１表示部１３の表示画面とキーボード１４の操作面とは、ＰＯＳシステム１のオペレータの立ち位置側に向けて設けられている。即ち、言い換えれば、オペレータの立ち位置側とは、本体部１１において、第１表示部１３の表示画面とキーボード１４の操作面とが向けられている側のことである。また、客の立ち位置側とは、本体部１１において、第１表示部１３の表示画面とキーボード１４の操作面とが向けられた側とは逆の側のことである。
【００１４】
オペレータの立ち位置側の本体部１１には、第１撮像窓１５が設けられている。第１撮像窓１５の内側の本体部１１内部には、第１撮像部１６が設置されている。第１撮像部１６は、ＣＣＤ（Charge  Coupled  Device）やＣＭＯＳ（Complementary  MOS）等の撮像素子を有するイメージセンサである。
【００１５】
第１撮像部１６は、商品の読み取り（撮像）を行う。オペレータは商品を第１撮像窓１５にかざし、第１撮像部１６により商品を撮像する。第１撮像部１６は、第１撮像窓１５にかざされた商品に付されているコードシンボル（バーコードや２次元コード等）や、当該商品の全体または一部（オブジェクト）を光学的に撮像する。
【００１６】
縦型スキャナ１０は、第１撮像部１６が撮像した画像をＰＯＳ端末２０に出力する。第１撮像部１６の撮像画像としては、商品に付されたコードシンボルの撮像画像や、商品の全体または一部を撮像したオブジェクト画像などが用いられる。
【００１７】
ＰＯＳ端末２０の制御部（不図示）は、縦型スキャナ１０から入力された画像に基づき、当該画像に応じた商品を商品マスタファイルから特定し、特定した商品の売上登録を行う。即ちＰＯＳ端末２０は、撮像画像にコードシンボルの画像が含まれていれば、当該コードシンボルに対応する商品情報を商品マスタファイルから読み出して、売上商品の商品情報として登録する。また、ＰＯＳ端末２０は、撮像画像がオブジェクト画像であれば、オブジェクト認識処理を行って商品を特定し、特定した商品の商品情報を商品マスタファイルから読み出して売上登録する。
【００１８】
尚、オブジェクト認識とは、第１撮像部１６にて撮像した物品（オブジェクト）の外観から得られる特徴量からその物品を特定（認識）する技術である。ＰＯＳ端末２０は、第１撮像部１６で撮像された撮像画像（オブジェクト画像）から被写体となった商品の外観上の特徴を特徴量として抽出する。そしてＰＯＳ端末２０は、抽出した特徴量を、予め用意された基準商品の特徴量（照合用データ）と比較することで、被写体となった商品を特定（認識）する。商品の外観上の特徴とは、形状、色合い、表面の凹凸等である。
【００１９】
第１表示部１３は、ＰＯＳ端末２０による売上登録処理に応じ、登録された商品の品名、価格等をオペレータに向けて表示する。なお、第１表示部１３は、第１撮像部１６が撮像した撮像画像や、オブジェクト認識で識別された商品名や商品のイラスト、商品候補の名前やイラストを表示してもよい。
【００２０】
図２は、客の立ち位置側から見た縦型スキャナ１０の斜視図である。図２に示すように、本体部１１の上面１１ａにおいて、オペレータの立ち位置側の端部には、ヒンジ１７によって操作部１２が回動可能に設けられている。また、本体部１１の上面１１ａは、オペレータの立ち位置側から客の立ち位置側にかけて下る傾斜面となっている。そして、客側に傾斜した上面１１ａには、第２撮像窓１８が設けられている。第２撮像窓１８の内側の本体部１１内部には、第２撮像部１９が設置されている。第２撮像部１９は、ＣＣＤやＣＭＯＳ等の撮像素子を有するイメージセンサである。
【００２１】
第２撮像部１９は、クーポン情報やクーポンコードを表示したクーポン画面の読み取り（撮像）を行う。クーポン画面には、値引サービス等の内容を示したテキストや、カラーイラスト等が用いられてもよい。クーポンコードとしては、バーコードや２次元コード等のコードシンボルが用いられてもよいし、コード番号をテキスト表示したものでもよい。
【００２２】
買物客は、携帯電話あるいはスマートフォン等の携帯端末の画面を第２撮像窓１８にかざし、第２撮像部１９により携帯端末の画面を撮像する。第２撮像部１９は、第２撮像窓１８にかざされた携帯端末の画面に表示されているクーポン画面を光学的に撮像する。
【００２３】
縦型スキャナ１０は、第２撮像部１９が撮像した画像をＰＯＳ端末２０に出力する。ＰＯＳ端末２０の制御部（不図示）は、縦型スキャナ１０から入力された画像に基づき、当該画像に応じたサービスを、サービスマスタファイルから特定する。そして、ＰＯＳ端末２０は、特定したサービスを、携帯端末の所有者（客）に対して適用する。サービス内容は特に限定されず、値引や割引といったサービスでもよいし、加算ポイント数の割増といったサービスでもよい。第１表示部１３は、ＰＯＳ端末２０によるサービス付加処理に応じ、登録されたサービス内容をオペレータに向けて表示する。また、表示器２１ａおよび表示器２１ｂも、登録されたサービス内容をオペレータまたは客に向けて表示する。
【００２４】
次に、携帯端末の位置決め部３０について説明する。図２に示すように、本体部１１の上面１１ａには、第２撮像窓１８の周囲を囲うように、携帯端末の位置決めを補助するための位置決め部３０が設けられている。位置決め部３０は、解像度の異なる２種類の携帯端末を、それぞれの解像度に応じて第２撮像窓１８からの距離を確保するものである。２種類の携帯端末としては、スマートフォン等の第１の携帯端末と、携帯電話等の第２の携帯端末とが適用される。
【００２５】
尚、第２の携帯端末、第１の携帯端末の適用例はこれらに限定されない。第１の携帯端末は、第２の携帯端末より高解像度の画面を有する、即ち画素数の大きい携帯型電子機器であれば、スマートフォン以外の電子機器でもよい。その他の例としては、タブレット端末、ＰＤＡ（Personal  Digital  Assistance）機器等の電子機器を第１の携帯端末として適用してもよい。また、第２の携帯端末は、折り畳み式の携帯電話でもよいし、ストレート式の携帯電話でもよいし、スライド式の携帯電話でもよい。また、第２の携帯端末として、ＰＨＳ（Personal  Handy-phone  System）等を用いてもよい。
【００２６】
ここで、第２の携帯端末（例えば、携帯電話）がクーポン画面を表示する場合には、第１の携帯端末（例えば、スマートフォン）がクーポン画面を表示する場合よりも画面サイズは小さくなる。従って、従来のように客が携帯端末を手に持って第２撮像窓１８にかざした場合、すべての客が画面読み取りのための好適な距離に携帯端末を保持することは容易ではない。また、携帯電話、スマートフォンのいずれにおいても、画面の向きを第２撮像部１９に対して好適な方向に保持することは容易ではない。そこで、本実施形態では、第２撮像窓１８の周囲を囲むように、第１の携帯端末および第２の携帯端末を位置決めする位置決め部３０を設けた。
【００２７】
図３は、位置決め部３０の構造例を示す斜視図である。図３に示すように、位置決め部３０は、第２撮像窓１８の左側に設けられた第１位置決め部５０ａと、第２撮像窓１８の右側に設けられた第１位置決め部５０ｂとを有している。図３に示すように、第１位置決め部５０ａ、５０ｂは、第２撮像部１９を挟み込む左右両側の上面１１ａから、同じ高さで突出した一対の凸部で構成されている。また、第１位置決め部５０ａ、５０ｂの凸部は、本体部１１の上面１１ａから山型形状に突出して設けられており、各凸部において左右両側の側面は傾斜面となっている。
【００２８】
第１位置決め部５０ａの上面５１ａと、第１位置決め部５０ｂの上面５１ｂとは、本体部１１の上面１１ａに対して同じ高さで形成されている。また、第１位置決め部５０ａ、５０ｂの上面５１ａ、５１ｂはそれぞれ平坦な面で形成され、本体部１１の上面１１ａに対してそれぞれ並行な面となっている。加えて上面５１ａ、５１ｂにはそれぞれ、緩衝材のエラストマ５２ａ、５２ｂが貼り付けられている。尚、上面５１ａ、５１ｂに用いる緩衝材としては、エラストマに限定されず、その他の弾性体を用いてもよい。
【００２９】
図４は、第１の携帯端末８０を第１位置決め部５０ａ、５０ｂに当てて位置決めする際の状態を概略的に示した模式図である。客は、第１の携帯端末８０（スマートフォン等）の表示画面を横に寝かせて、第１位置決め部５０ａ、５０ｂ上に設けられたエラストマ５２ａ、５２ｂに押し当てて、表示画面を第２撮像窓１８にかざす。すると第１の携帯端末８０の表示画面は、第２撮像窓１８に対して凸部の高さ分浮いた状態で固定されることとなる。
【００３０】
尚、凸部の高さとは、第２撮像窓１８が設けられている上面１１ａから、エラストマ５２ａ、５２ｂまでの高さ（距離）のことである。尚、エラストマ５２ａ、５２ｂを備えない場合、凸部の高さは、第２撮像窓１８が設けられている上面１１ａから、第１位置決め部５０ａ、５０ｂの上面５１ａ、５１ｂまでの高さ（距離）となる。即ち、第１の携帯端末の表示画面は、第２撮像窓１８から凸部の高さ分だけ距離が確保された状態で保持される。
【００３１】
また、第１位置決め部５０ａ、５０ｂの上面５１ａ、５１ｂは、第２撮像窓１８が設けられている上面１１ａに対して並行に設けられている。これにより、第１の携帯端末の表示画面は、上面１１ａに対して並行な状態で保持される。
【００３２】
また、第１位置決め部５０ａ、５０ｂの上面５１ａ、５１ｂは、それぞれ平坦な面で形成されているので、第１の携帯端末の表示画面を当てる際に安定感を与えることができる。また、上面５１ａ、５１ｂにはそれぞれエラストマ５２ａ、５２ｂが設けられており、携帯端末の表示画面の損傷を防ぐことができるので、客は安心感を持って、表示画面を第１位置決め部５０ａ、５０ｂに押し当てることができる。
【００３３】
尚、上面５１ａ、５１ｂ同士の離間距離は、第１の携帯端末の表示画面の一般的なサイズに準じて、小さ目の画面サイズであっても両側の上面５１ａ、５１ｂ双方に乗るようなサイズとすればよい。
【００３４】
図３に戻って、第１位置決め部５０ａ、５０ｂは山型凸部形状に形成されており、その内側の側面はそれぞれ、凸部の上面側から第２撮像窓１８側にかけて下る傾斜面となっている。内側の側面とは、第２撮像窓１８に近い側の側面のことである。そして、第２撮像窓１８越しに相対するこれら内側の側面のうち一部は、第２の携帯端末を位置決めするための第２位置決め部４０ａ、４０ｂとして機能する。第２位置決め部４０ａ、４０ｂは、第１位置決め部５０ａ、５０ｂ内側の傾斜面の一部であるから、その高さは、第１位置決め部５０ａ、５０ｂよりも低い位置に位置する。即ち、第２位置決め部４０ａ、４０ｂの高さは、第１位置決め部５０ａ、５０ｂの上面５１ａ、５１ｂよりも、第２撮像窓１８寄りの高さで設けられている。
【００３５】
図５は、第２の携帯端末９０を第２位置決め部４０ａ、４０ｂに当てて位置決めする際の状態を概略的に示した模式図である。客は、第１位置決め部５０ａ、５０ｂで左右両側から挟み込まれた溝部の内側に、第２の携帯端末９０（携帯電話等）を嵌め込む。図５に示すように、第２位置決め部４０ａ、４０ｂは、下方、即ち、第２撮像窓１８側に下るにつれて裾広がりの斜面となっている。従って、第２の携帯端末９０の機体は、その機体幅に応じた深さで、斜面の一部をなす等高線上に当接されることとなる。
【００３６】
第１位置決め部５０ａ、５０ｂは第２撮像窓１８に対して左右対称に設けられているので、第２位置決め部４０ａ、４０ｂの斜面もまた、第２撮像窓１８に対して左右対称となっている。従って、第２の携帯端末９０の機体が左右一対の第２位置決め部４０ａ、４０ｂの斜面の一部に当接すると、第２の携帯端末９０の表示画面は自ずと第２撮像窓１８に対して並行な状態で保持される。つまり、上述のような構造で第２位置決め部４０ａ、４０ｂを設けたことにより、クーポン画面が歪んで撮像されることを防止できる。
【００３７】
一般的に、携帯電話の機体幅は機種によってまちまちであり、統一されていない。これに対して本実施形態では、第１位置決め部５０ａ、５０ｂの側部の斜面を第２位置決め部４０ａ、４０ｂとして用いている。これにより、第２の携帯端末９０の機体サイズに幅があっても、その機体幅に応じた深さまで嵌め込んで第２の携帯端末９０を保持することができる。
【００３８】
また、第２位置決め部４０ａ、４０ｂの斜面は、第２撮像窓１８の中心部に対して左右対称に設けられている。従って、第２の携帯端末９０が第２位置決め部４０ａ、４０ｂによって固定されると、表示画面の縦方向の中心位置と、第２撮像窓１８の縦方向の中心位置とを揃えることができる。これにより、クーポン画面の中心に近い部分が撮像されることとなり、画面の読み取り効率を向上させることができる。
【００３９】
図３に戻って、第１位置決め部５０ａ、５０ｂのそれぞれの山型凸部において内側（第２撮像窓１８側）の底部は連結されている。そして、その連結部は第２撮像窓１８の上下を囲う壁部６０ａ、６０ｂを形成している。壁部６０ａ、６０ｂの上面６１ａ、６１ｂはそれぞれ平坦な面となっており、それぞれ本体部１１の上面１１ａに対して平行な面となっている。尚、壁部６０ａ、６０ｂの上面６１ａ、６１ｂは、第１位置決め部５０ａ、５０ｂの内側の斜面（即ち、第２位置決め部４０ａ、４０ｂをなす傾斜面）の下端部よりも、さらに一段低い高さで設けられている。
【００４０】
基本的に、第２の携帯端末９０は、第２位置決め部４０ａ、４０ｂの斜面の一部の等高線上で位置決めされる。しかしながら本実施形態では、第２撮像窓１８の上下にもガイド面となる壁部６０ａ、６０ｂをさらに設け、第２の携帯端末９０を位置決めする際の操作感の向上を図った。即ち、当該構造によれば、第２の携帯端末９０を第２位置決め部４０ａ、４０ｂ間の溝部に嵌め込もうとする際に、第２の携帯端末９０をガイド面（壁部６０ａ、６０ｂの上面６１ａ、６１ｂ）へ押し当てるような感覚を操作者に与えることができる。
【００４１】
また、手が滑って第２の携帯端末９０が溝部に落ちた場合にも、壁部６０ａ、６０ｂがあれば第２撮像窓１８に第２の携帯端末９０が当たって損傷することを防ぐことができる。また、人によっては第２位置決め部４０ａ、４０ｂの溝部に第２の携帯端末９０を差し込むというよりは、先に機体の片側をガイド面（上面６１ａ、６１ｂ）に落とし、それから画面が第２撮像窓１８に正対する向きになるよう、機体を回転させる場合も考えられる。
【００４２】
加えて、壁部６０ａ、６０ｂを設けたことにより、第２撮像窓１８の周辺から回り込む光を遮ることができる。これにより、第１の携帯端末８０あるいは第２の携帯端末９０の表示画面に外部光が映り込んで、クーポン画面から情報が読み取りづらくなるような事態を防止することができる。
【００４３】
ここで、壁部６０ａ、６０ｂの上面１１ａからの高さは、第２撮像部１９の撮像可能距離に準じた高さで設けられる。以下に、図６を参照して第２撮像部１９の撮像可能距離について説明する。
【００４４】
図６は、位置決め部３０の概略断面図である。第２撮像部１９は、第２撮像窓１８を介して撮像領域７０を撮像する。撮像領域７０よりも第２撮像窓１８に近い範囲は、第２撮像部１９の撮像不可能領域となる。第２撮像部１９の撮像不可能距離は、例えば１７〜１８ｍｍ程度であり、これより近い距離に表示画面が近接されると、十分な画質を得ることができない。
【００４５】
図６に示すように、壁部６０ａ、６０ｂの上面６１ａ、６１ｂは、その高さｄ０が撮像可能距離以上となるように設けられている。具体的には、高さｄ０は上記１７〜１８ｍｍにマージンを加えて、２０ｍｍ程度としている。尚、高さｄ０とは、本体部１１の上面１１ａを基準とした、壁部６０ａ、６０ｂの上面６１ａ、６１ｂの高さのことである。
【００４６】
上述したように、第２位置決め部４０ａ、４０ｂ（図３参照）をなす斜面の下端部は、壁部６０ａ、６０ｂの上面６１ａ、６１ｂよりも高い位置に設けられている。従って、第２の携帯端末は基本的に壁部６０ａ、６０ｂの上面６１ａ、６１ｂには当接せず、それより外側の第２位置決め部４０ａ、４０ｂの斜面内で留まることとなる。即ち、図６に示すように、高さｄ０より大きい高さｄ１に第２の携帯端末を保持することができる。従って、第２の携帯端末の表示画面を、第２撮像窓１８の撮像不可能距離よりも離間させた状態で位置決めすることができる。
【００４７】
ところで、携帯電話の機体サイズは様々に設計可能である。従って、第２位置決め部４０ａ、４０ｂ同士の離間幅を現状の機体サイズを考慮して十分狭めて設けても、さらに幅狭の機種が発売されることも有り得る。これに対して本実施形態では、壁部６０ａ、６０ｂの高さを上述のように設けている。従って、第２位置決め部４０ａ、４０ｂの斜面で保持されないような機体幅の携帯電話が発売された際にも、当該携帯電話が第２撮像部１９の撮像不可能範囲まで接近することなく、携帯電話を撮像可能範囲に留めて位置決めすることができる。
【００４８】
尚、第１の携帯端末については、第１位置決め部５０ａ、５０ｂの上面５１ａ、５１ｂ
に貼られたエラストマ５２ａ、５２ｂの上面の高さｄ２に位置決めされる。尚、高さｄ２は、本体部１１の上面１１ａを基準とした高さである。図６に示されるように、高さｄ１は、高さｄ２より低く設定され、これにより第２の携帯端末（携帯電話等）の表示画面は、第１の携帯端末（スマートフォン等）の表示画面よりも第２撮像窓１８に近い位置に位置決めされる。従って、位置決め部３０は、第１の携帯端末よりも画面解像度の低い第２の携帯端末の表示画面を、第１の携帯端末の表示画面よりも近い位置に位置決めすることができる。
【００４９】
従って、本実施形態の位置決め部３０によれば、画面解像度の異なる携帯端末のどちらがかざされた場合にも、表示画面を読み取り易くすることができ、第２撮像部１９の撮像画像の画質を保つことができる。
【００５０】
尚、上述では、各高さｄ０、ｄ１、ｄ２をそれぞれ本体部１１の上面１１ａを基準とした高さとして記載したが、これは上面１１ａと第２撮像窓１８とが略同一面上にあるからである。上面１１ａと第２撮像窓１８とが略同一面上に無い構造においては、各高さは第２撮像窓１８を基準とすればよい。
【００５１】
また、上述では、第１位置決め部５０ａ、５０ｂを第２撮像窓１８の左右両側に設けた例を示したが、第１位置決め部５０ａ、５０ｂを第２撮像窓１８の上下両側に設けてもよい。例えば、本体部１１の上面１１ａの面積がより大きい場合、或いは、本体部１１が直方体形状ではなく、客側に斜面または曲面が形成されるような形状の場合には、位置決め部３０の設置面積も大きくできる場合がある。このような場合に、第１位置決め部５０ａ、５０ｂを第２撮像窓１８の上下両側に突出形成してもよい。逆に言えば、図３で示したように第１位置決め部５０ａ、５０ｂを第２撮像窓１８の左右両側に設けると、位置決め部３０の縦サイズをコンパクトに収めることができ、本体部１１の奥行サイズ（店員側から客側にかけての方向の寸法）が薄型の場合でも、本体部１１の上面１１ａに収まるように位置決め部３０を設けることができる。
【００５２】
尚、図３のように、第１位置決め部５０ａ、５０ｂを第２撮像窓１８の左右両側に設けた場合における実証試験では、スマートフォンの液晶画面を横に寝かせてエラストマ５２ａ、５２ｂに押し当てたケースがほとんどであった。つまり、図３に示した形状は、スマートフォンを横に寝かせて当てることを直感的に想像させ易い形状であることが実証されている。多くのスマートフォンには、画面の向きに応じて画面表示を自動回転させる機能が搭載されている。従って、図３のようにスマートフォンを横に寝かせて第１位置決め部５０ａ、５０ｂに当てても、第２撮像部１９による撮像画像には、適切な方向でクーポン画面が撮像される。
【００５３】
一方、ロースペックの携帯電話には、画面の自動回転機能が搭載されていない場合も多い。これに対して図３に示した例では、携帯電話の液晶画面を縦に立てた状態のまま、第２位置決め部４０ａ、４０ｂに押し当てればよい。従って、自動回転機能が無くとも、適切な方向でクーポン画面を撮像することができる。
【００５４】
尚、第２の携帯端末または第１の携帯端末にて表示される画面は、上述したクーポン画面に限定されるものではない。例えば会員登録情報などその他の情報を画面に表示し、第２撮像部１９は撮像画像から当該情報を読み取るとしてもよい。
【００５５】
また、上述では、縦型スキャナ１０に本実施形態の位置決め部３０を設けた例を示したが、位置決め部３０の設置対象はこれに限定されない。その他の例として、第２撮像窓１８と第２撮像部１９と位置決め部３０とを一体化した小型の読取装置を、縦型スキャナ１０とは別体に設けてもよい。この場合に、小型の読取装置は、ＰＯＳ端末２０に接続して用いるとし、サッカー台２に載置して客が携帯端末をかざす際に利用するとしてもよい。
【００５６】
また別の例として、ＰＯＳ端末２０、縦型スキャナ１０と同様の機能を一体的に備えたＰＯＳシステムに、第２撮像窓１８と第２撮像部１９と位置決め部３０とを組み込んで用いてもよい。当該ＰＯＳシステムの一例としては、客自身が商品読取を行うセルフチェックアウト端末（セルフＰＯＳ）を用いることができる。
【００５７】
以上説明したとおり、本実施形態では、第２撮像窓１８を挟むように、第１の携帯端末の位置決めを行う第１位置決め部５０ａ、５０ｂと、第２の携帯端末の位置決めを行う第２位置決め部４０ａ、４０ｂとをそれぞれ設けた。また、第２位置決め部４０ａ、４０ｂは、第１位置決め部５０ａ、５０ｂの上面５１ａ、５１ｂよりも低く、即ち、第２撮像窓１８寄りの高さで設けた。このような構造により、低解像度の第２の携帯端末の画面を、高解像度の第１の携帯端末の画面よりも第２撮像窓１８に近い位置で位置決めすることができる。従って、本実施形態によれば、解像度の異なる携帯端末であっても、表示画面を読み取り易くすることができる読取装置を提供できる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…ＰＯＳシステム、２０…ＰＯＳ端末、１０…縦型スキャナ、１１…本体部、１１ａ…上面、１５…第１撮像窓、１６…第１撮像部、１８…第２撮像窓、１９…第２撮像部、３０…位置決め部、４０ａ、４０ｂ…第２位置決め部、５０ａ、５０ｂ…第１位置決め部、５１ａ、５１ｂ…上面、５２ａ、５２ｂ…エラストマ、６０ａ、６０ｂ…壁部、６１ａ、６１ｂ…上面、８０…第１の携帯端末、９０…第２の携帯端末。
【先行技術文献】
【特許文献】
【００６０】
【特許文献１】特許第５３５１２９１号公報
【図１】
0006272795.tif 000002
【図２】
0006272795.tif 000003
【図３】
0006272795.tif 000004
【図４】
0006272795.tif 000005
【図５】
0006272795.tif 000006
【図６】
0006272795.tif 000007